(57)【特許請求の範囲】
【請求項１】
金属板からなる取付座板の外周縁部を延設して、一本乃至三本のスパイクが同一方向に略Ｌ字状に折曲して形成されるスパイク金具において、
略Ｌ字状に折曲されたスパイクにおける折曲部の幅方向の一端部又は両端部には、取付座板及びスパイクによって形成される角部を面取りするようにして押圧した押圧部を具備したことを特徴とするスパイク金具。
【請求項２】
請求項１に記載のスパイク金具を具備したことを特徴とする運動靴。
【発明の詳細な説明】
【技術分野】
【０００１】
本発明は、運動靴の底部に固定されるスパイク金具及びスパイク金具を備えた運動靴に関するものである。
【背景技術】
【０００２】
従来より、取付座板の一部に所定の幅を有する一本乃至三本のスパイクを折曲起立形成してなり、スパイクを起立した折曲部であってスパイク幅の中心の一箇所に、取付座板からスパイクにかけて折曲ラインと直交するリブが形成された構成の野球用スパイク金具が公知である。
【０００３】
更に、直交するリブを二箇所に設けることで、スパイクの根元の強度をより強くするとともに、捩りに対する抵抗力を増大させ、スパイクの捩れを防止してスパイク効果を確保するとともに、運動時に生じる履き心地の違和感を解消できる野球用スパイク金具も公知である（例えば、特許文献１参照）。
【特許文献１】実開平６−２６５１５号公報
【発明の開示】
【発明が解決しようとする課題】
【０００４】
一般に、曲げ強度は当該リブの大きさに左右されるものであるが、過剰に大きい際には、スパイクの変形要素も大きくなる。
また、当該リブを一箇所に設ける際には、スパイク幅に対して中央部に設けることが必須要件であり、当該設置位置がずれてしまうと、プレス加工時にスパイクを折曲させる際に変形が生じてしまう。
更に、特許文献１のように当該リブを二箇所に設けることもできるが、スパイク幅が狭い場合には、プレス加工時に引き伸ばされることでスパイクの強度が低減する虞もある。
また、取付座板には、野球靴の底部に固定する為の取付孔が設けられているが、当該リブ付近に設置される際には、プレス加工時に取付孔の変形が生じやすくなる。
【０００５】
そこで、本発明はこのような問題点を解決するものであって、運動靴の底部に固定されるスパイク金具及びスパイク金具を備えた運動靴に関するものであって、スパイク幅等に影響されることなく、曲げ強度を向上させるスパイク金具及びスパイク金具を備えた運動靴を提供することを課題とする。
【課題を解決するための手段】
【０００６】
前記問題点を解決するために、本発明の請求項１に記載の発明のスパイク金具は、金属板からなる取付座板の外周縁部を延設して、一本乃至三本のスパイクが同一方向に略Ｌ字状に折曲して形成されるスパイク金具において、略Ｌ字状に折曲されたスパイクにおける折曲部の幅方向の一端部又は両端部には、取付座板及びスパイクによって形成される角部を面取りするようにして押圧した押圧部を具備したことを特徴とするものである。
【発明の効果】
【０００７】
請求項１記載のスパイク金具に係る発明では、略Ｌ字状に折曲されたスパイクにおける折曲部の幅方向の一端部又は両端部に、取付座板及びスパイクによって形成される角部を面取りするようにして押圧した押圧部を具備するので、従来のように、スパイクにおける折曲部であってスパイクの幅の中心の一箇所に、取付座板からスパイクにかけて折曲ラインと直交するリブを設けないので、プレス加工時にスパイクを折曲させる際に変形が生じる虞がない。
更に、略Ｌ字状に折曲されたスパイクにおける折曲部の幅方向の一端部又は両端部に押圧部を設けるので、スパイクにおける折曲部を補強し、スパイクにおける曲げ強度を向上させることができる。また、スパイクに作用する捩れを防止することもできる。これにより、スパイクの幅に影響されることなく、従来からのリブと同等以上の曲げ強度を有することができ、取付座板の板厚を薄くしたり、スパイクの折曲長さを短くしたり、軽量化を図ることができる。
【０００８】
請求項２に記載のスパイク金具を具備する運動靴に係る発明では、スパイクにおける折曲部が補強され、スパイクにおける曲げ強度を向上させることができ、スパイクに作用する捩れを防止することができるので、当該スパイクを備える運動靴を長期に亘り使用することができる。
【発明を実施するための最良の形態】
【０００９】
以下、本発明の実施の形態におけるスパイク金具を図面に基づいて説明する。
【００１０】
図１は、本発明に係るスパイク金具における正面図である。図２は、本発明に係るスパイク金具における右側面図である。図３は、本発明に係るスパイク金具における平面図である。図４は、本発明に係るスパイク金具におけるスパイクの一部拡大斜視図である。
【実施例】
【００１１】
本発明のスパイク金具の実施例について、図１乃至図４に基づいて説明する。
【００１２】
本願発明の実施の形態に係るスパイク金具１は、三本のスパイクを有するスパイク金具であって、図１乃至図３に示すように、取付座板２と、取付座板２の端部を折曲させた三本のスパイク３とによって構成されている。
【００１３】
図１乃至図３に示すように、取付座板２は、鉄、鋼等の材料から形成され、略中央部には軽量化を図る為の貫通孔６が設けられている。また、取付座板２の外周縁部には等間隔を有して、所定寸法のスパイク３が延設して設けられており、プレス加工によって、同一方向に略Ｌ字状に折曲して形成される。更に、取付座板２における貫通孔６の外周であって、スパイク３の近傍には、例えば野球用、ソフトボール用の運動靴の底部に固定する為の取付孔４が複数設けられている。
【００１４】
図２乃至図４に示すように、略Ｌ字状に折曲されたスパイク３における折曲部の幅方向の両端部には、別途プレス加工によって押圧部５が形成されている。
具体的には、取付座板２及びスパイク３によって形成される角部を面取りするようにして押圧し、図２に示すように、折曲部に対して均等に押圧される。このとき、図３に示すように押圧部５は、スパイク３における幅方向の両端部から略５分の１が押圧されていればよい。また、当該押圧部５は、スパイク３における負荷がかかりやすい方の幅方向の一端部にのみ設けることもできる。その後、スパイク金具１は熱処理が施され、運動靴の底部に固定される。
【００１５】
以上、説明した本発明の実施例に係るスパイク金具１によれば、従来のように、スパイク３における折曲部であってスパイク３の幅の中心の一箇所に、取付座板２からスパイク３にかけて折曲ラインと直交するリブを設けないので、プレス加工時にスパイク３を折曲させる際に変形が生じる虞がない。
更に、略Ｌ字状に折曲されたスパイク３における折曲部の幅方向の両端部に押圧部５を設けるので、スパイク３における折曲部を補強し、スパイク３における曲げ強度を向上させることができる。また、スパイク３に作用する捩れを防止することもできる。これにより、スパイク３の幅に影響されることなく、従来からのリブと同等以上の曲げ強度を有することができ、取付座板２の板厚を薄くしたり、スパイク３の折曲長さを短くしたり、軽量化を図ることができる。
【００１６】
また、スパイク３を備えた運動靴にあっては、スパイク３における折曲部が補強され、スパイク３における曲げ強度を向上させることができ、スパイク３に作用する捩れを防止することができるので、当該運動靴を長期に亘り使用することができる。
【００１７】
上記実施例においては、三本のスパイク３を形成したスパイク金具１について説明したが、一本或いは二本のスパイク３を形成した場合にも適用することができるのは勿論であり、取付座板２の形状に影響されるものではない。
【図面の簡単な説明】
【００１８】
【図１】本発明に係るスパイク金具における正面図である。
【図２】本発明に係るスパイク金具における右側面図である。
【図３】本発明に係るスパイク金具における平面図である。
【図４】本発明に係るスパイク金具におけるスパイクの一部拡大斜視図である。
【符号の説明】
【００１９】
１      スパイク金具
２      取付座板
３      スパイク
４      取付孔
５      押圧部
６      貫通孔
【図１】
0005237000.tif 000002
【図２】
0005237000.tif 000003
【図３】
0005237000.tif 000004
【図４】
0005237000.tif 000005